(57)【要約】【課題】地上デジタル放送に対するダイバーシチ受信において、１２セグ放送から１セグ放送に切替えた場合に最適な受信ができるようにする。【解決手段】アンテナ２ｂで受信されたＯＦＤＭ信号の位相を移相器１４で移相してアンテナ２ａの受信信号と混合し、ミキサ１３によりＩＦ信号に変換する。このＩＦ信号は、バンドパスフィルタ１６、Ａ／Ｄ変換器１７、ＦＦＴ部２０を介して復調部２１へ出力する。受信状態監視部１８は、バンドパスフィルタ１６の出力信号を監視し、受信状態に応じて１２セグ／１セグ切替制御部２６により切替器２２ａ、２２ｂを切替え、Ａ／Ｄ変換器１７の出力を１２セグ用デジタルフィルタ２３又は１セグ用デジタルフィルタ２４を介して取り出す。位相制御部２５は、フィルタ２３又はフィルタ２４から出力される信号の電力を測定すると共に位相を算出し、上記測定電力が高くなるように移相器１４を制御する。【選択図】      図１
2008060913.tif 000002
【特許請求の範囲】
【請求項１】
複数のアンテナで受信されるＯＦＤＭ信号のうち、１つ以上のＯＦＤＭ信号の位相を移相する移相器と、
前記複数のアンテナで受信された信号を前記移相器で移相された信号を含んで合成する合成器と、
前記合成器で合成された受信信号の状態を監視する受信状態監視部と、
前記合成器で合成された受信信号をデジタル信号に変換するＡ／Ｄ変換器と、
前記Ａ／Ｄ変換器の出力信号から１２セグメント放送信号を選択する１２セグメント用デジタルフィルタと、
前記Ａ／Ｄ変換器の出力信号から１セグメント放送信号を選択する１セグメント受信用のデジタルフィルタと、
前記受信状態監視部の監視結果に基づき、１２セグメント放送が受信可能な状態では前記１２セグメント用デジタルフィルタを選択し、１２セグメント放送が受信不可能な状態では前記１セグメント用デジタルフィルタを選択する切替手段と、
前記切替手段により選択された１２セグメント用デジタルフィルタあるいは１セグメント用デジタルフィルタから出力される信号の電力を測定すると共に位相を算出し、前記測定電力が高くなるように前記移相器を制御する位相制御部とを具備することを特徴とするダイバーシチ受信装置。
【請求項２】
複数のアンテナで受信されるＯＦＤＭ信号のうち、１つ以上のＯＦＤＭ信号の位相を移相する移相器と、
前記複数のアンテナで受信された信号を前記移相器で移相された信号を含んで合成する合成器と、
前記合成器で合成された受信信号の状態を監視する受信状態監視部と、
前記合成器で合成された受信信号をデジタル信号に変換するＡ／Ｄ変換器と、
前記Ａ／Ｄ変換器で変換されたデジタル信号を高速フーリエ変換するＦＦＴ部と、
前記ＦＦＴ部の出力信号から１２セグメント受信信号の電力を測定する１２セグメント用電力測定部と、
前記ＦＦＴ部の出力信号から１セグメント受信信号の電力を測定する１セグメント用電力測定部と、
前記受信状態監視部の監視結果に基づき、１２セグメント放送が受信可能な状態では前記１２セグメント用電力測定部を選択し、１２セグメント放送が受信不可能な状態では前記１セグメント用電力測定部を選択する切替手段と、
前記切替手段により選択された１２セグメント用電力測定部あるいは１セグメント用電力測定部で測定された信号の位相を算出し、前記電力測定部における測定電力が高くなるように前記移相器を制御する位相算出部とを具備することを特徴とするダイバーシチ受信装置。
【請求項３】
複数のアンテナで受信されるＯＦＤＭ信号のうち、１つ以上のＯＦＤＭ信号の位相を移相する移相器と、
前記複数のアンテナで受信された信号を前記移相器で移相された信号を含んで合成する合成器と、
前記合成器で合成された受信信号の状態を監視する受信状態監視部と、
前記合成器に接続され、１チャンネル分の通過帯域を有するバンドパスフィルタと、
前記バンドパスフィルタの出力信号から１２セグメント放送信号を選択する１２セグメント用フィルタと、
前記バンドパスフィルタの出力信号から１セグメント放送信号を選択する１セグメント用フィルタと、
前記受信状態監視部の監視結果に基づき、１２セグメント放送が受信可能な状態では前記１２セグメント用フィルタを選択し、１２セグメント放送が受信不可能な状態では前記１セグメント用フィルタを選択する切替手段と、
前記切替手段により選択された１２セグメント用フィルタあるいは１セグメント用フィルタから出力される信号の電力を測定すると共に位相を算出し、前記測定電力が高くなるように前記移相器を制御する位相制御部とを具備することを特徴とするダイバーシチ受信装置。
【発明の詳細な説明】
【技術分野】
【０００１】
本発明は、フェージングの影響を軽減して最適な等利得合成を行うダイバーシチ受信装置に関するものである。
【背景技術】
【０００２】
変調方式に直交周波数分割多重（ＯＦＤＭ：Orthogonal Frequency Division Multiplexing）を用いたシステム、例えば地上デジタル放送といったシステムの車載用のダイバーシチ受信装置（移動体通信）においては、受信地点が移動することによるフェージングが問題となることから、通信品質を高めるために複数のアンテナを用いたダイバーシチ受信が行われる。
【０００３】
一般的には、複数のアンテナのうち１つ以上について受信されるＯＦＤＭ信号の位相を移相器により移相して、これら複数のアンテナにより受信されるＯＦＤＭ信号を合成し、前記合成されたＯＦＤＭ信号のレベル検出結果に基づいて前記移相器により移相する位相の量を切替て合成電力が高くなるように移相器の位相を制御する等利得合成が行われる。
【０００４】
図５は地上デジタル放送に対するダイバーシチ受信において、車両に複数のアンテナを装着した状態を示す斜視図、図６は等利得合成機能を備えた従来の車載用ダイバーシチ受信装置の構成図である。
【０００５】
図５に示すように車両１には、後部ウインドウ等に複数例えば２つのダイバーシチ受信用のアンテナ２ａ、２ｂが装着される。
【０００６】
そして、図６の車載用ダイバーシチ受信装置に示すように、上記アンテナ２ａ、２ｂで受信された信号は合成器３で合成されてミキサ４に入力される。この場合、一方のアンテナ例えばアンテナ２ｂと合成器３との間に移相器５が設けられる。
【０００７】
また、上記ミキサ４には、局部発振器６から局部発振信号が与えられる。ミキサ４は、合成器３で合成された信号と局部発振器６から与えられる局部発振信号とを混合して例えば中心周波数３７ＭＨｚのＩＦ信号（中間周波信号）に変換する。このＩＦ信号は、約６ＭＨｚの通過帯域幅を有するバンドパスフィルタ（ＢＰＦ）７を介して取り出され、位相制御部８及び復調部９に入力される。上記バンドパスフィルタ（ＢＰＦ）７は、ＩＦ信号の中心周波数に対して１チャンネルの帯域幅である±３ＭＨｚのみを通過させる特性を有する
上記位相制御部８は、バンドパスフィルタ７の出力信号に基づいて移相器５を制御する。復調部９は、チャンネル操作により選択されたチャンネルの信号に対する復調処理を行う。上記復調部９で復調された信号は、後段の処理部（図示せず）へ送られて画像及び音声として出力される。上記局部発振器６は、選局制御部（図示せず）からのチャンネル情報に従って局部発振周波数を切替え、選択されたチャンネルの信号がミキサ４で所定のＩＦ信号に変換されるように動作する。
【０００８】
上記の構成において、アンテナ２ａで受信されたＯＦＤＭ信号は、アンテナ２ｂで受信されて移相器５で位相制御されたＯＦＤＭ信号と合成器３により合成される。ミキサ４は、上記合成器３で合成された信号と局部発振器６から与えられる局部発振信号とを混合してＩＦ信号に変換する。
【０００９】
上記ミキサ４から出力されるＩＦ信号は、バンドパスフィルタ７により帯域外の不要な信号成分が除去されて位相制御部８及び復調部９へ送られる。
【００１０】
位相制御部８は、バンドパスフィルタ７を通過した信号を利用し、アンテナ２ａ、２ｂでそれぞれ受信された信号に対して合成電力が高くなるように移相器５を制御し、等利得合成を行う。この場合、位相制御部８は、例えば位相を切替える直前、直後の短時間に受信信号の電力を測定し、位相の変化分と電力の変化分から例えば最急降下法を用いて逐次的に位相を制御する。
【００１１】
そして、上記バンドパスフィルタ７から出力される信号を復調部９に入力することで画像及び音声を得ている。
【００１２】
上記のように従来の車載用ダイバーシチ受信装置は、ＩＦ信号をバンドパスフィルタ７を介して位相制御部８に入力し、アンテナ２ａ、２ｂで受信された信号に対して合成電力が高くなるように移相器５の移相量を制御し、等利得合成を行っている。
【００１３】
また、近年、車載向けの地上デジタル放送用受信機に対して、受信状態の劣化により通常の１２セグメント放送（以下、１２セグ放送と略称する）が受信不可となった場合に、自動的にフェージングに強い方式で変調された１セグメント放送（以下、１セグ放送と略称する）の受信に切替える技術が検討されている（例えば、非特許文献１参照。）。日本の地上デジタル放送規格ＩＳＤＢ−Ｔ（Integrated Services Digital Broadcasting-Terrestrial）方式では、１チャンネル６ＭＨｚの帯域を固定受信向けの１２セグと、携帯受信向けの１セグとに分けて伝送することができるようになっている。
【非特許文献１】佐藤義人、他、“H.264対応階層伝送方式を応用した１２セグ１セグ切替え端末の開発”、2005映像情報メディア学会年次大会、5-2
【発明の開示】
【発明が解決しようとする課題】
【００１４】
一般的なダイバーシチ受信機では、通常状態では１２セグ放送を受信可能とするために図６に示したように約６ＭＨｚの通過帯域を持つバンドパスフィルタ７が使用される。このように６ＭＨｚの通過帯域を持つバンドパスフィルタ７が使用された構成において、非特許文献１に示したような切替制御を行う機能を追加した場合、以下のような問題が発生する。
【００１５】
１２セグ放送を受信している状態で受信状態が劣化し、１２セグ放送から１セグ放送に切替えた場合を考える。
【００１６】
図７（ａ）は１２セグ放送の帯域、同図（ｂ）は１セグ放送の帯域を示している。１２セグ放送では、１チャンネルの帯域である６ＭＨｚ（５．６ＭＨｚ）を１３セグメントに分け、そのうちの１２セグメントを使用している。この場合、１セグメントの帯域は約４２９ｋＨｚである。１セグ放送では、上記１３セグメントのうち、中央の１セグメントＳ１を使用している。
【００１７】
従って、１セグ放送は、１チャンネルの帯域内が１３個に分割されたセグメントのうち中央のセグメントのみを受信すればよいため、位相制御部８はこの中央のセグメントの電力が最大になるように制御する必要がある。
【００１８】
しかし、６ＭＨｚの通過帯域を持つバンドパスフィルタ７を通過した信号に対して電力が最大になるように位相を制御した場合、図８の特性ａ、ｂに示すように６ＭＨｚ全体の電力は高くなるが、伝搬路が周波数選択性フェージングの場合、所望帯域である中央のセグメントＳ１の電力が最大になるように制御されるとは限らない。図８において、ａは位相制御前の特性、ｂは位相制御後の特性、Ｗは１セグ放送帯域を示している。
【００１９】
上記のように６ＭＨｚの通過帯域を持つバンドパスフィルタ７を使用し、かつセグメント切替制御を行う機能を追加した場合、位相制御によって１セグ放送の帯域の電力が逆に減少する可能性があるという問題がある。
【００２０】
本発明は上記の課題を解決するためになされたもので、地上デジタル放送に対するダイバーシチ受信において、受信状態に応じて１２セグ放送から１セグ放送に切替えた場合においても、１セグ放送の帯域の電力が高くなるように制御することができる地上デジタル放送受信用のダイバーシチ受信装置を提供することを目的とする。
【課題を解決するための手段】
【００２１】
第１の発明は、複数のアンテナで受信されるＯＦＤＭ信号のうち、１つ以上のＯＦＤＭ信号の位相を移相する移相器と、前記複数のアンテナで受信された信号を前記移相器で移相された信号を含んで合成する合成器と、前記合成器で合成された受信信号の状態を監視する受信状態監視部と、前記合成器で合成された受信信号をデジタル信号に変換するＡ／Ｄ変換器と、前記Ａ／Ｄ変換器の出力信号から１２セグメント放送信号を選択する１２セグメント用デジタルフィルタと、前記Ａ／Ｄ変換器の出力信号から１セグメント放送信号を選択する１セグメント受信用のデジタルフィルタと、前記受信状態監視部の監視結果に基づき、１２セグメント放送が受信可能な状態では前記１２セグメント用デジタルフィルタを選択し、１２セグメント放送が受信不可能な状態では前記１セグメント用デジタルフィルタを選択する切替手段と、前記切替手段により選択された１２セグメント用デジタルフィルタあるいは１セグメント用デジタルフィルタから出力される信号の電力を測定すると共に位相を算出し、前記測定電力が高くなるように前記移相器を制御する位相制御部とを具備することを特徴とする。
【００２２】
第２の発明は、複数のアンテナで受信されるＯＦＤＭ信号のうち、１つ以上のＯＦＤＭ信号の位相を移相する移相器と、前記複数のアンテナで受信された信号を前記移相器で移相された信号を含んで合成する合成器と、前記合成器で合成された受信信号の状態を監視する受信状態監視部と、前記合成器で合成された受信信号をデジタル信号に変換するＡ／Ｄ変換器と、前記Ａ／Ｄ変換器で変換されたデジタル信号を高速フーリエ変換するＦＦＴ部と、前記ＦＦＴ部の出力信号から１２セグメント受信信号の電力を測定する１２セグメント用電力測定部と、前記ＦＦＴ部の出力信号から１セグメント受信信号の電力を測定する１セグメント用電力測定部と、前記受信状態監視部の監視結果に基づき、１２セグメント放送が受信可能な状態では前記１２セグメント用電力測定部を選択し、１２セグメント放送が受信不可能な状態では前記１セグメント用電力測定部を選択する切替手段と、前記切替手段により選択された１２セグメント用電力測定部あるいは１セグメント用電力測定部で測定された信号の位相を算出し、前記電力測定部における測定電力が高くなるように前記移相器を制御する位相算出部とを具備することを特徴とする。
【００２３】
第３の発明は、複数のアンテナで受信されるＯＦＤＭ信号のうち、１つ以上のＯＦＤＭ信号の位相を移相する移相器と、前記複数のアンテナで受信された信号を前記移相器で移相された信号を含んで合成する合成器と、前記合成器で合成された受信信号の状態を監視する受信状態監視部と、前記合成器に接続され、１チャンネル分の通過帯域を有するバンドパスフィルタと、前記バンドパスフィルタの出力信号から１２セグメント放送信号を選択する１２セグメント用フィルタと、前記バンドパスフィルタの出力信号から１セグメント放送信号を選択する１セグメント用フィルタと、前記受信状態監視部の監視結果に基づき、１２セグメント放送が受信可能な状態では前記１２セグメント用フィルタを選択し、１２セグメント放送が受信不可能な状態では前記１セグメント用フィルタを選択する切替手段と、前記切替手段により選択された１２セグメント用フィルタあるいは１セグメント用フィルタから出力される信号の電力を測定すると共に位相を算出し、前記測定電力が高くなるように前記移相器を制御する位相制御部とを具備することを特徴とする。
【発明の効果】
【００２４】
本発明によれば、地上デジタル放送に対するダイバーシチ受信において、受信状態監視部でデジタル放送の受信状態を常時監視し、受信状態に応じて１２セグメント放送あるいは１セグメント放送に適した回路構成に切替えることにより、受信状態が悪化して１２セグメント放送から１セグメント放送に切替えた場合においても、１セグメント放送に対する帯域内の受信電力が高くなるように位相制御して最適な等利得合成を行うことができ、安定した受信画像を得ることができる。
【発明を実施するための最良の形態】
【００２５】
以下、図面を参照して本発明の実施の形態について詳細に説明する。
【００２６】
（第１実施形態）
図１は、本発明の第１実施形態に係る地上デジタル放送受信用のダイバーシチ受信装置の構成図である。このダイバーシチ受信装置は、移動体例えば車両に搭載して使用される。移動体には複数例えば２つのダイバーシチ受信用アンテナ２ａ、２ｂが設けられ、その受信信号、すなわちＯＦＤＭ受信信号はダイバーシチ受信装置の入力端子１１ａ、１１ｂに入力される。この入力端子１１ａ、１１ｂに入力されたアンテナ受信信号は、合成器１２で合成された後、ミキサ１３に入力される。この場合、一方の入力端子例えば入力端子１１ｂと合成器１２との間に移相器１４が設けられる。すなわち、複数のアンテナで地上デジタル放送を受信する際、各アンテナで受信されるＯＦＤＭ信号のうち、１つ以上のＯＦＤＭ信号の位相を移相器により制御する。
【００２７】
また、上記ミキサ１３には、局部発振器１５から局部発振信号が与えられる。ミキサ１３は、上記合成器１２で合成された受信信号と局部発振器１５から与えられる局部発振信号とを混合して例えば中心周波数３７ＭＨｚのＩＦ信号（中間周波信号）に変換する。このＩＦ信号は、中心周波数に対して約±３ＭＨｚの通過帯域幅を有するバンドパスフィルタ（ＢＰＦ）１６を介して取り出され、Ａ／Ｄ（アナログ／デジタル）変換器１７及び受信状態監視部１８へ送られる。
【００２８】
上記Ａ／Ｄ変換器１７から出力されるデジタル信号は、高速フーリエ変換を行うＦＦＴ（Fast Fourier Transform：高速フーリエ変換）部２０を介して復調部２１へ送られる。復調部２１は、チャンネル操作により選択されたチャンネルの信号に対する復調処理を行う。局部発振器１５は、選局制御部（図示せず）からのチャンネル情報に従って局部発振周波数を切替え、選択指定されたチャンネルの信号がミキサ１３で所定のＩＦ信号に変換されるように動作する。
【００２９】
また、上記Ａ／Ｄ変換器１７から出力されるデジタル信号は、切替器２２ａを介して１２セグ（１２セグメント）用デジタルフィルタ２３あるいは１セグ（１セグメント）用デジタルフィルタ２４に入力される。上記１２セグ用デジタルフィルタ２３は、１２セグの帯域幅が約６ＭＨｚであるので、ＩＦ信号の中心周波数に対して約±３ＭＨｚの通過帯域を有するものが使用される。また、１セグ用デジタルフィルタ２４は、１セグの帯域幅が約４２９ｋＨｚであるので、ＩＦ信号の中心周波数に対して約±２５０ｋＨｚの通過帯域を有するものが使用される。
【００３０】
上記１２セグ用デジタルフィルタ２３と１セグ用デジタルフィルタ２４の出力信号は、切替器２２ｂにより切替えられて位相制御部２５へ送られる。上記切替器２２ａ、２２ｂは、１２セグ／１セグ切替制御部２６により連動して切替えられる。
【００３１】
一方、上記受信状態監視部１８は、バンドパスフィルタ１６から出力される受信信号を監視し、通常の受信状態、すなわち１２セグ放送が受信可能な場合は、１２セグ／１セグ切替制御部２６に１２セグ放送受信を行うように指示し、受信状態が劣化して１２セグ放送の受信が不可能となった場合は１２セグ／１セグ切替制御部２６に１セグ放送受信を行うように指示する。
【００３２】
１２セグ／１セグ切替制御部２６は、受信状態監視部１８からの指示に従って切替器２２ａ、２２ｂを切替え制御すると共に、復調部２１に１２セグ放送の復調処理あるいは１セグ放送の復調処理を指示する。
【００３３】
そして、上記位相制御部２５は、切替器２２ａ、２２ｂにより切替えられた１２セグ用デジタルフィルタ２３あるいは１セグ用デジタルフィルタ２４から出力される信号の電力を測定すると共に位相を算出し、１２セグ用デジタルフィルタ２３あるいは１セグ用デジタルフィルタ２４で選択される信号の電力が高くなるように移相器１４を制御する。上記位相制御部２５は、例えば位相を切替える直前、直後の短時間に電力を測定し、位相の変化分と電力の変化分から例えば最急降下法等を用いて逐次的に位相を制御する。
【００３４】
また、上記位相制御部２５における位相制御動作は、従来から一般に知られている技術であり、例えば特開２００３−２４３９５９号公報等に記載されている技術を用いて行うことができる。
【００３５】
上記の構成において、アンテナ２ａで受信されたＯＦＤＭ信号は、アンテナ２ｂで受信されて移相器１４で位相制御されたＯＦＤＭ信号と合成器１２で合成される。この合成された受信信号は、ミキサ１３に入力され、局部発振器１５から出力される局部発振信号と混合されて例えば中心周波数３７ＭＨｚのＩＦ信号に変換される。このＩＦ信号は、バンドパスフィルタ１６を介して取り出され、受信状態監視部１８へ送られると共に、Ａ／Ｄ変換器１７によりアナログ信号からデジタル信号に変換される。
【００３６】
上記受信状態監視部１８は、バンドパスフィルタ１６から出力される受信信号を監視し、通常の受信状態、すなわち１２セグ放送が受信可能な場合は、１２セグ／１セグ切替制御部２６に１２セグ放送受信を行うように指示する。１２セグ／１セグ切替制御部２６は、受信状態監視部１８からの指示に従って切替器２２ａ、２２ｂを１２セグ用デジタルフィルタ２３側に切替えると共に、復調部２１に１２セグ放送の復調処理を指示する。
【００３７】
この結果、Ａ／Ｄ変換器１７でデジタル信号に変換された信号は、１２セグ用デジタルフィルタ２３を介して取り出され、位相制御部２５へ送られる。位相制御部２５は、上記１２セグ用デジタルフィルタ２３から出力される信号の電力を測定すると共にその位相を算出し、この１２セグ用デジタルフィルタ２３から出力される信号の電力が高くなるように移相器１４を制御する。
【００３８】
また、上記Ａ／Ｄ変換器１７から出力されるデジタル信号は、ＦＦＴ部２０でＦＦＴされると共に復調部２１で復調され、後段の処理部（図示せず）へ送られて画像及び音声として出力される。
【００３９】
上記デジタル放送を受信している間、受信状態監視部１８は受信状態を常に監視している。そして、上記１２セグ放送を受信している状態において、受信状態が悪化し、１２セグ放送の受信が不可能となった場合、受信状態監視部１８は１２セグ／１セグ切替制御部２６に対して１２セグ放送の受信から１セグ放送の受信に切替えるように指示する。
【００４０】
１２セグ／１セグ切替制御部２６は、受信状態監視部１８からの指示に従って切替器２２ａ、２２ｂを１２セグ用デジタルフィルタ２３から１セグ用デジタルフィルタ２４に切替えると共に、復調部２１に１セグ放送の復調処理を指示する。
【００４１】
上記切替器２２ａ、２２ｂの切替えによって、Ａ／Ｄ変換器１７から出力される受信信号（デジタル）は、１セグ用デジタルフィルタ２４を介して位相制御部２５へ送られる。
【００４２】
位相制御部２５は、上記１セグ用デジタルフィルタ２４から出力される受信信号の電力を測定すると共に位相を算出し、１セグ用デジタルフィルタ２４で選択される信号の電力が高くなるように移相器１４を制御する。
【００４３】
一方、復調部２１は、１２セグ／１セグ切替制御部２６からの指示に従って１セグ放送に対する復調処理を行って後段の処理部へ出力する。
【００４４】
上記のように受信状態監視部１８でデジタル放送の受信状態を常時監視し、受信状態に応じて１２セグ放送あるいは１セグ放送に適した回路構成に切替えることにより、受信状態が悪化して１セグ放送に切替えた場合においても、１セグ放送に対する帯域内の受信電力が高くなるように位相制御して最適な等利得合成を行うことができ、安定した受信画像を得ることができる。
【００４５】
なお、上記第１実施形態では、受信状態に応じて１２セグ用デジタルフィルタ２３と１セグ用デジタルフィルタ２４とを切替えるブロックで説明したが、デジタルフィルタの帯域の切替は、デジタルフィルタのタップ係数を変更することで実質的に上記説明と等価なフィルタの帯域切替が可能である。その他、固定タップのデジタルフィルタを使用する場合は、例えば通常の受信状態では１２セグ用デジタルフィルタ２３を使用してダイバーシチ受信制御を行い、受信状態が悪化して１２セグ放送を受信できなくなった場合に１２セグ用デジタルフィルタ２３に対して１セグ用デジタルフィルタ２４を直列に接続してダイバーシチ受信制御を行うようにしても良い。１２セグ用デジタルフィルタ２３に対して１セグ用デジタルフィルタ２４を直列に接続しても、１セグ用デジタルフィルタ２４を単独に使用した場合と同じ通過帯域となるので、１２セグ用デジタルフィルタ２３と１セグ用デジタルフィルタ２４とを切替えて使用する場合と同じ理動作を行わせることができる。
【００４６】
（第２実施形態）
次に本発明の第２実施形態について説明する。  
図２は、本発明の第２実施形態に係るダイバーシチ受信装置の構成を示すブロック図である。この第２実施形態に係るダイバーシチ受信装置は、図２に示すようにＦＦＴ部２０の出力信号を利用して受信信号の位相制御を行うようにしたもので、その他の構成は第１実施形態と同様の構成であるので、同一部分には同一符号を付して詳細な説明は省略する。
【００４７】
第２実施形態に係るダイバーシチ受信装置は、ＦＦＴ部２０の出力信号を位相制御部２５Ａに入力している。この位相制御部２５Ａは、切替器３１ａ、３１ｂ、１２セグ用電力測定部３２、１セグ用電力測定部３３、位相算出部３４により構成される。上記ＦＦＴ部２０の出力信号は、切替器３１ａにより切替えられて１２セグ用電力測定部３２あるいは１セグ用電力測定部３３に入力される。上記１２セグ用電力測定部３２と１セグ用電力測定部３３の出力信号は、切替器３１ｂにより切替えられて位相算出部３４に入力される。
【００４８】
上記切替器３１ａ、３１ｂは、１２セグ／１セグ切替制御部２６により連動して切替えられる。そして、上記切替器３１ａ、３１ｂにより選択された１２セグ用電力測定部３２あるいは１セグ用電力測定部３３の出力信号が位相算出部３４へ送られる。位相算出部３４は、上記１２セグ用電力測定部３２あるいは１セグ用電力測定部３３で測定された信号の位相を算出し、その算出結果に基づいて移相器１４を制御する。
【００４９】
上記の構成において、アンテナ２ａ、２ｂで受信された信号は、合成器１２で合成されてミキサ１３に入力され、局部発振器１５から出力される局部発振信号と混合されてＩＦ信号に変換される。このＩＦ信号は、バンドパスフィルタ１６を介して取り出され、Ａ／Ｄ変換器１７によりデジタル信号に変換される。このＡ／Ｄ変換器１７から出力されるデジタル信号は、ＦＦＴ部２０によりＦＦＴ処理されて時間信号から周波数信号に変換される。
【００５０】
図３はＯＦＤＭ信号において、キャリア数５，６１７本の信号を８，１９２ポイントでＦＦＴ処理した場合の周波数信号の絶対値を示したものである。
【００５１】
上記ＦＦＴ部２０から出力される周波数信号は、位相制御部２５Ａへ送られ、切替器３１ａ、３１ｂにより切替えられて１２セグ用電力測定部３２あるいは１セグ用電力測定部３３に入力される。
【００５２】
１セグ放送に対応するキャリア番号は図３からも分かるように±２１６のため、１セグ用電力測定部３３では、例えば以下に示す（１）式により電力を算出する。
【数１】
2008060913.tif 000003
【００５３】
また、１２セグ放送に対応するキャリア番号は±２８０８のため、１２セグ用電力測定部３２では、例えば以下に示す（２）式により電力を算出する。
【数２】
2008060913.tif 000004
【００５４】
なお、上記（１）式、（２）式ではそれぞれ該当するキャリア番号範囲内の全てのデータの絶対値の２乗を加算処理しているが、必ずしも２乗でなくても良く、信号レベルに比例した値を加算処理すれば良い。また、加算処理ではなく平均化処理でも良い。更に、全てのデータを使わずに適当に間引いても良い。
【００５５】
上記位相制御部２５Ａは、受信状態監視部１８の監視結果に基づいて１２セグ／１セグ切替制御部２６により切替器３１ａ、３１ｂが切替えられ、１２セグ用電力測定部３２あるいは１セグ用電力測定部３３によって電力測定が行われる。
【００５６】
すなわち、受信状態監視部１８の監視によって受信状態が良好で１２セグ放送の受信が可能であると判断された場合は、切替器３１ａ、３１ｂにより１２セグ用電力測定部３２側が選択され、１２セグ放送に対する受信電力が測定されて位相算出部３４へ送られる。位相算出部３４は、１２セグ放送の受信信号の位相を算出し、１２セグ用電力測定部３２で測定される信号の電力が高くなるように移相器１４を制御する。
【００５７】
また、受信状態が悪化して１２セグ放送の受信が不可能となった場合は、切替器３１ａ、３１ｂにより１セグ用電力測定部３３が選択され、１セグ放送に対する受信電力が測定されて位相算出部３４へ送られる。位相算出部３４は、１セグ放送の受信信号の位相を算出し、１セグ用電力測定部３３で測定される信号の電力が高くなるように移相器１４を制御する。
【００５８】
そして、上記ＦＦＴ部２０でＦＦＴされた信号は、復調部２１で復調処理されて後段の処理部へ送られ、画像及び音声として出力される。
【００５９】
上記のように受信状態監視部１８でデジタル放送の受信状態を常時監視し、受信状態に応じて切替器３１ａ、３１ｂにより１２セグ用電力測定部３２あるいは１セグ用電力測定部３３を選択して電力測定を行う共に位相算出部３４で信号の位相を算出し、受信信号の電力が高くなるように移相器１４を制御することにより、受信状態が悪化して１セグ放送に切替えた場合においても、１セグ放送に対する帯域内の受信電力が高くなるように位相制御して最適な等利得合成を行うことができ、安定した受信画像を得ることができる。
【００６０】
（第３実施形態）
次に本発明の第３実施形態について説明する。  
図４は、本発明の第３実施形態に係るダイバーシチ受信装置の構成を示すブロック図である。この第３実施形態に係るダイバーシチ受信装置は、バンドパスフィルタ１６の出力信号を利用して受信信号の位相制御を行うようにしたもので、その他の構成は第１実施形態と同様の構成であるので、同一部分には同一符号を付して詳細な説明は省略する。
【００６１】
第３実施形態に係るダイバーシチ受信装置は、バンドパスフィルタ１６の出力信号を切替器２２ａにより切替えて１２セグ用バンドパスフィルタ（ＢＰＦ）４１あるいは１セグ用バンドパスフィルタ（ＢＰＦ）４２に入力している。上記１２セグ用バンドパスフィルタ４１は、ＩＦ信号の中心周波数に対して約±３ＭＨｚの通過帯域を持つアナログフィルタであり、１セグ用バンドパスフィルタ４２は、ＩＦ信号の中心周波数に対して約±２５０ｋＨｚの通過帯域を持つアナログフィルタである。
【００６２】
上記１２セグ用バンドパスフィルタ４１と１セグ用バンドパスフィルタ４２の出力信号は、切替器２２ｂにより切替えられて位相制御部２５Ｂへ送られる。この位相制御部２５Ｂは、切替器２２ａ、２２ｂにより切替えられた１２セグ用バンドパスフィルタ４１あるいは１セグ用バンドパスフィルタ４２から出力される信号の電力を測定すると共に位相を算出し、１２セグ用バンドパスフィルタ４１あるいは１セグ用バンドパスフィルタ４２で選択される信号の電力が高くなるように移相器１４を制御する。
【００６３】
上記第３実施形態で示したように、バンドパスフィルタ１６から出力されるアナログのＩＦ信号を切替器２２ａ、２２ｂで切替えて１２セグ用バンドパスフィルタ４１あるいは１セグ用バンドパスフィルタ４２で処理することにより、第１実施形態に示したようにデジタルフィルタ２３、２４を用いたダイバーシチ受信装置と同様の処理を行わせることができる。
【００６４】
従って、上記第３実施形態においても、受信状態が悪化して１２セグ放送から１セグ放送に切替えた場合に、１セグ放送に対する帯域内の受信電力が高くなるように位相制御して最適な等利得合成を行うことができ、安定した受信画像を得ることができる。
【００６５】
なお、上記第３実施形態では、受信状態に応じて１２セグ用バンドパスフィルタ４１と１セグ用バンドパスフィルタ４２とを切替えて使用する場合について説明したが、その他、例えば通常の受信状態では１２セグ用バンドパスフィルタ４１を使用してダイバーシチ受信制御を行い、受信状態が悪化して１２セグ放送を受信できなくなった場合に１２セグ用バンドパスフィルタ４１に対して１セグ用バンドパスフィルタ４２を直列に接続してダイバーシチ受信制御を行うようにしても良い。
【００６６】
また、１２セグ用バンドパスフィルタ４１は、単に同軸ケーブル等で置き換えても良い。
【００６７】
また、上記各実施形態では、２つのアンテナを使用してダイバーシチ受信を行う場合について示したが、更に多数のアンテナを使用してダイバーシチ受信を行う場合においても、同様にして実施し得るものである。この場合には、複数のアンテナで受信されるＯＦＤＭ信号のうち、１つ以上のアンテナに対して移相器を設け、受信信号の電力が高くなるように各移相器を制御する。
【００６８】
本発明は、上記実施形態そのままに限定されるものではなく、実施段階ではその要旨を逸脱しない範囲で構成要素を変形して具体化できるものである。
【図面の簡単な説明】
【００６９】
【図１】本発明の第１実施形態に係るダイバーシチ受信装置の構成を示すブロック図である。
【図２】本発明の第２実施形態に係るダイバーシチ受信装置の構成を示すブロック図である。
【図３】同実施形態において、ＯＦＤＭ信号におけるキャリア数５，６１７本の信号を８，１９２ポイントでＦＦＴした場合の周波数信号の絶対値を示す図である。
【図４】本発明の第３実施形態に係るダイバーシチ受信装置の構成を示すブロック図である。
【図５】ダイバーシチ受信において、車両に複数のアンテナを装着した状態を示す斜視図である。
【図６】等利得合成機能を備えた従来の車載用ダイバーシチ受信装置の構成図である。
【図７】（ａ）は地上デジタル放送における１２セグ放送の帯域を示す図、（ｂ）は１セグ放送の帯域を示す図である。
【図８】従来の等利得合成機能を備えた車載用ダイバーシチ受信装置において、受信信号の電力が最大になるように位相制御した場合の特性図である。
【符号の説明】
【００７０】
１１ａ、１１ｂ…入力端子、１２…合成器、１３…ミキサ、１４…移相器、１５…局部発振器、１６…バンドパスフィルタ（ＢＰＦ）、１７…Ａ／Ｄ変換器、１８…受信状態監視部、２０…ＦＦＴ部、２１…復調部、２２ａ、２２ｂ…切替器、２３…１２セグ用デジタルフィルタ、２４…１セグ用デジタルフィルタ、２５、２５Ａ、２５Ｂ…位相制御部、２６…１２セグ／１セグ切替制御部、３１ａ、３１ｂ…切替器、３２…１２セグ用電力測定部、３３…１セグ用電力測定部、３４…位相算出部、４１…１２セグ用バンドパスフィルタ（ＢＰＦ）、４２…１セグ用バンドパスフィルタ（ＢＰＦ）
【図１】
2008060913.tif 000005
【図２】
2008060913.tif 000006
【図３】
2008060913.tif 000007
【図４】
2008060913.tif 000008
【図５】
2008060913.tif 000009
【図６】
2008060913.tif 000010
【図７】
2008060913.tif 000011
【図８】
2008060913.tif 000012